(57)【要約】      （修正有）【課題】山芋等の野菜を手で触れずに保持し、調理を効率良く行える野菜保持具を提供する。【解決手段】野菜保持具１は、把手２と、この把手２から互いに平行をなして突出する複数の突き刺し棒３とを備えている。把手２は棒状をなし、突き刺し棒３は把手２の先端から把手２の軸線に沿って突出している。山芋１０の皮を剥いたり、皮剥きの後にすりおろす際には、山芋１０の端面１０ａに突き刺し棒３を突き刺し、把手２を手で持って山芋１０を保持する。【選択図】図２
0003206238.tif 000002
【実用新案登録請求の範囲】
【請求項１】
把手と、この把手から互いに平行をなして突出する複数の突き刺し棒と、を備えたことを特徴とする野菜保持具。
【請求項２】
上記把手は棒状をなし、上記突き刺し棒は上記把手の先端から上記把手の軸線に沿って突出することを特徴とする請求項１に記載の野菜保持具。
【請求項３】
上記把手の先端部は、一対の傾斜面を有して先細をなしており、これら傾斜面に挟まれた先端面は、上記把手の軸線と直交する方向に細長く形成されており、上記複数の突き刺し棒はこの先端面の長手方向に間隔をおいて配置されていることを特徴とする請求項１または２に記載の野菜保持具。
【請求項４】
上記突き刺し棒の先端が凸曲面をなしていることを特徴とする請求項１〜３のいずれかに記載の野菜保持具。
【請求項５】
上記突き刺し棒が上記把手から２本突出していることを特徴とする請求項１〜４のいずれかに記載の野菜保持具。
【請求項６】
上記把手の基端には、野菜を破砕するための硬性の破砕部材が固定されていることを特徴とする請求項１〜５のいずれかに記載の野菜保持具。
【請求項７】
上記破砕部材の外面には多数の凹凸ないしは突起が形成されていることを特徴とする請求項６に記載の野菜保持具。
【考案の詳細な説明】
【技術分野】
【０００１】
本考案は、野菜を調理する際に用いられる野菜保持具に関する。
【背景技術】
【０００２】
家庭で山芋の皮を剥く場合、一方の手で山芋を掴み、他方の手でピラーを持って皮を剥いている。皮を剥いた山芋をすりおろす場合にも、山芋を手で掴む必要がある。
【考案の概要】
【考案が解決しようとする課題】
【０００３】
上記のような皮剥き，すりおろし方法では、山芋を手で掴むため、滑って掴みづらく作業に手間がかかる。また、山芋からの粘液で手がかゆくなることもある。
【課題を解決するための手段】
【０００４】
上記問題点を解決するために、本考案に係る保持具は、把手と、この把手から互いに平行をなして突出する複数の突き刺し棒と、を備えている。
上記構成によれば、山芋等の野菜を調理する際に、野菜を突き刺し棒に刺し、把手を手で掴むため、野菜に直接手が触れることなく野菜を保持することができ、調理を効率良く行うことができる。また、山芋等の調理の場合には、粘液が手に触れないので、手がかゆくなるのを防止できる。
【０００５】
好ましくは、上記把手は棒状をなし、上記突き刺し棒は上記把手の先端から上記把手の軸線に沿って突出する。
上記構成によれば、野菜保持具が、把手から突き刺し棒までの全長にわたって直線的に延びる形状をなしているので、収納スペースが小さくて済む。
【０００６】
好ましくは、上記把手の先端部は、一対の傾斜面を有して先細をなしており、これら傾斜面に挟まれた先端面は、上記把手の軸線と直交する方向に細長く形成されており、上記複数の突き刺し棒はこの先端面の長手方向に間隔をおいて配置されている。
上記構成によれば、把手の先端部が先細をなしているので、ピラー等の調理器具との干渉を回避できる。
【０００７】
好ましくは、上記突き刺し棒の先端が凸曲面をなしている。
上記構成によれば、安全性を高めることができる。
【０００８】
好ましくは、上記突き刺し棒が上記把手から２本突出している。
上記構成によれば、突き刺し棒を野菜が回るのを防止できる最小限の本数にしたので、コストを低減できる。
【０００９】
好ましくは、上記把手の基端には、野菜を破砕するための硬性の破砕部材が固定されている。
上記構成によれば、例えばすりおろし後に突き刺し棒に残った部位を把手を掴んで破砕部材により叩くことにより、細かく砕くことができる。
【００１０】
好ましくは、上記破砕部材の外面には多数の凹凸ないしは突起が形成されている。
上記構成によれば、滑らずに破砕作業を効率良く行うことができる。
【考案の効果】
【００１１】
本考案によれば、調理の際に野菜に直接手が触れることなく野菜を保持することができる。
【図面の簡単な説明】
【００１２】
【図１】本考案の第１実施形態に係る野菜保持具の正面図である。
【図２】同野菜保持具の側面図である。
【図３】同野菜保持具の平面図である。
【図４】本考案の第２実施形態を示す野菜保持具の平面図である。
【図５】本考案の第３実施形態を示す野菜保持具の要部断面図である。
【図６】本考案の第４実施形態を示す野菜保持具の要部断面図である。
【考案を実施するための形態】
【００１３】
以下、本考案の第１実施形態を図１〜図３を参照しながら説明する。野菜保持具１は、把手２と、２本（複数）の突き刺し棒３とを有している。
把手２は例えば木製からなり直線的に延びる棒形状をなし、手で把持するのに適した長さと太さを有している。
【００１４】
上記把手２の先端部はその左右部が斜めにカットされて傾斜面２ａとなっている。これら一対の傾斜面２ａは先端に向かって互いに近づくように傾斜しており、これにより把手２の先端部は先細をなしている。
把手２は、一対の傾斜面２ａに挟まれた先端面２ｂを有している。この先端面２ｂは、把手２の軸線と直交する方向に細長く形成されている。先端面２ｂには、把手２の軸線方向に延びる２つの固定穴２ｃが形成されている。
【００１５】
上記突き刺し棒３は、金属からなり、把手２の先端面２ｂに形成された２つの固定穴２ｃに圧入または接着剤を介して埋め込まれている。突き刺し棒３は、把手２の軸線に沿って把手２の先端から突出し、互いに平行をなしている。突き刺し棒３の先端は安全のために丸めておくのが好ましい。
【００１６】
上記構成をなす野菜保持具１により図２に示すように山芋１０を保持する。具体的には、山芋１０の端面１０ａから野菜保持具１の突き刺し棒３を突き刺す。好ましくは、山芋１０の端面１０ａが把手２の先端面２ｂに当たるまで突き刺す。このようにして把手２と山芋１０をほぼ同一直線上に配置した後、把手２を一方の手で持ち、他方の手でピラー（図示しない）を持って矢印Ａで示すように移動させ、山芋１０の皮を剥く。皮を剥き終わったら、把手２を持ったまま山芋をすりおろす。
【００１７】
上述したように、皮剥きとすりおろしの過程で山芋１０に手で触れずに済むので、これら作業を効率良く行うことができる。また、山芋１０の粘液が手に触れないので、手がかゆくなるのを防止できる。
また、２本の突き刺し棒３で突き刺すので、山芋１０は回ることなく安定して保持できる。
【００１８】
把手２の先端部が一対の傾斜面２ｂによって先細をなしているので、ピラーやすりおろし器等の調理器が当たるのを回避でき、より一層作業がしやすい。
【００１９】
次に本発明の他の実施形態について図面を参照しながら説明する。先行して説明する実施形態に対応する構成部には同番号を付してその詳細な説明を省略する。
図４に示す第２実施形態では、把手２の先端部に傾斜面が形成されず、円形をなす先端面２ｂ’に３本の突き刺し棒３が等しい角度間隔で取り付けられている。
【００２０】
図５に示す第３実施形態では、把手２より硬い金属製の破砕部材４が、把手２の基端に固定されている。この破砕部材４は円盤部４ａとこの円盤部４ａに固定された固定ピン４ｂとを有しており、この固定ピン４ｂを把手２の基端面に形成された穴に圧入したり接着剤を介して埋め込むことにより、固定されている。破砕部材４の外面には細かな凹凸が多数形成されている。上述のように山芋１０をすりおろした後に、把手２を手で持ち、突き刺し棒３に残った部分をこの破砕部材４で叩いて砕く。破砕部材４の外面は細かな凹凸が形成されているので滑らずに効率良く破砕することができる。
【００２１】
図６に示す第４実施形態では、把手２より硬い樹脂製の破砕部材５が、把手２の基端に固定されている。この破砕部材５はキャップ形状をなし、その外面に多数の突起５ａが形成されている。この破砕部材５は、把手２の基端に形成された凸部２ｄに接着剤を介して嵌め込むことにより、把手２に固定されている。この破砕部材５は、多数の突起５ａを有しているので、滑らずに効率良く破砕することができる。
【００２２】
本考案は、前記実施形態に限られず、その趣旨を逸脱しない範囲内で種々の改変をなすことができる。
把手２に破砕部材を設けずに、その基端部で山芋等を破砕することもできる。
把手２は木製に限らず樹脂製でもよい。
保持する野菜は山芋以外、他の芋類または人参、大根であってもよい。皮むきやすりおろし以外の調理の際に用いてもよい。
【産業上の利用可能性】
【００２３】
本考案は、例えば、山芋等の野菜の保持具に適用できる。
【符号の説明】
【００２４】
１  野菜保持具
２  把手
２ａ  傾斜面
２ｂ、２ｂ’  先端面
３  突き刺し棒
４、５  破砕部材
５ａ  突起
【図１】
0003206238.tif 000003
【図２】
0003206238.tif 000004
【図３】
0003206238.tif 000005
【図４】
0003206238.tif 000006
【図５】
0003206238.tif 000007
【図６】
0003206238.tif 000008